(57)【特許請求の範囲】
【請求項１】
清掃対象コンクリート表面の上方に所定の間隔を隔てて、高圧水を噴射する複数のノズルを一列状に設置し、
軸方向に隣接する前記ノズルから扇状に噴射される前記高圧水の噴射領域を相互にオーバラップさせて、
前記ノズルを前記コンクリート表面の一方側から他方側に向けて平行移動させるコンクリート表面の清掃方法において、
前記コンクリート表面に対する前記ノズルの高圧水の噴射範囲を、当該ノズルの平行移動方向に対して、その前方側の所定角度内に設定する清掃方法であって、
前記ノズルは、支持軸に回転自在に支持された回転体に複数が等角度間隔で設置されたノズルユニットとされ、
複数の前記ノズルユニットを、前記支持軸の軸方向に沿って配置するとともに、
前記支持軸には、内部に設けられた高圧水の供給通路と前記ノズルとの間を連通させる前記所定角度に対応する二又状の凹溝を設けたことを特徴とするコンクリート表面の清掃方法。
【発明の詳細な説明】
【０００１】
【発明の属する技術分野】
この発明は、コンクリート表面の清掃方法に関し、特に、コンクリート表面を高圧水で洗浄する清掃方法の改良技術に関するものである。
【０００２】
【従来の技術】
ダム堤体などのコンクリート構造物を構築する際には、相当広い面積でのコンクリート面の打継が行われる。この場合、コンクリートの打継面は、通常、表面のレイタンスの滓や砂分を除去するための洗浄，清掃処理が行われている。
【０００３】
このような洗浄，処理には、処理すべき面積が広いので、一般には、ウオータージェットによる水の高圧噴射が採用されている。ウオータージェットによる洗浄，清掃方法は、従来、高圧水を扇状に噴射するノズルが先端に設けられたホースを作業者が把持して人力で行う方式が主流であった。
【０００４】
このような方式で洗浄，清掃する際には、ノズルを前後左右に振り回しながら、レイタンスの滓や砂分を掻き落し、これをサンドポンプやバキュームポンプ側に向けて集積させていた。
【０００５】
しかしながら、このような従来の洗浄，清掃方法には、以下に説明する課題があった。
【０００６】
【発明が解決しようとする課題】
すなわち、ノズルを把持して人力によりジェットノズルを噴射する方式では、レイタンスの滓や砂分の取残しが生じないように、同一個所を５ないしは６回程度清掃しなければならない上に、このような清掃方法でも、取残しが発生し、取残しがあると、ブラシなどで擦り落とさなければならないので、清掃作業に時間と人員とを要し、効率の悪い作業となっていた。
【０００７】
本発明は、このような従来の問題点に鑑みてなされたものであって、その目的とするところは、レイタンスの滓や砂分の取残しがなく、清掃作業を効率的に行えるコンクリート面の清掃方法を提供することにある。
【０００８】
【課題を解決するための手段】
上記目的を達成するために、本発明は、清掃対象コンクリート表面の上方に所定の間隔を隔てて、高圧水を噴射する複数のノズルを一列状に設置し、軸方向に隣接する前記ノズルから扇状に噴射される前記高圧水の噴射領域を相互にオーバラップさせて、前記ノズルを前記コンクリート表面の一方側から他方側に向けて平行移動させるコンクリート表面の清掃方法において、前記コンクリート表面に対する前記ノズルの高圧水の噴射範囲を、当該ノズルの平行移動方向に対して、その前方側の所定角度内に設定する清掃方法であって、前記ノズルは、支持軸に回転自在に支持された回転体に複数が等角度間隔で設置されたノズルユニットとされ、複数の前記ノズルユニットを、前記支持軸の軸方向に沿って配置するとともに、前記支持軸には、内部に設けられた高圧水の供給通路と前記ノズルとの間を連通させる前記所定角度に対応する二又状の凹溝を設けた。
【０００９】
このように構成したコンクリート表面の清掃方法によれば、高圧水を噴射する複数のノズルを一列状に設置し、軸方向に隣接するノズルから扇状に噴射される高圧水の噴射領域を相互にオーバラップさせ、かつ、コンクリート表面に対するノズルの高圧水の噴射範囲を、当該ノズルの平行移動方向に対して、その前方側の所定角度内に設定するので、ノズルをコンクリート表面の一方側から他方側に向けて平行移動させると、レイタンスの滓や砂分が高圧水に押されて他方側に集められ、これにより列状に配置された複数のノズルに対応する範囲のコンクリート表面の清掃が終了する。
【００１１】
本発明の構成によれば、ノズルユニットを増減することにより、清掃対象コンクリート表面の大きさに容易に対応することができる。
【００１２】
【発明の実施の形態】
以下、本発明の好適な実施の形態について、添付図面に基づいて詳細に説明する。図１から図４は、本発明にかかるコンクリート表面の清掃方法の一実施例を示している。
【００１３】
同図に示した清掃方法は、例えば、ダム堤体などのコンクリート構造物を構築する際の、相当広い面積でのコンクリート打継を行う場合などに適用される方法であって、清掃対象コンクリート表面１０の上方に所定の間隔を隔てて、高圧水Wを噴射する複数のノズル１２が設置される。
【００１４】
本実施例の場合、ノズル１２は、回転体１４と一体化されたノズルユニット１６となっていて、複数のノズルユニット１６、本実施例の場合には、合計６個のノズルユニット１６が、コンクリート表面１０の上方に一列状に配置されている。
【００１５】
各ノズル１２は、所定の角度αからなる扇状ないしは平面状に広がる高圧水Wを噴射するものであって、図４に示すように、回転体１４の外周に等角度間隔で、中心から外方を指向するようにして、６個が放射状に配置されている。
【００１６】
回転体１４は、高圧水Ｗの供給通路１８が内部に設けられた支持軸２０の外周に回転自在に支持されている。支持軸２０の内部には、供給通路１８と連通する連通孔２２が穿設され、支持軸２０の表面側には、連通孔２２と連なる二又状の凹溝２４が湾曲形成されている。
【００１７】
このように構成されたノズルユニット１６によれば、回転体１４が図4の矢印方向に回転すると、凹溝２４が設けられている角度範囲内に位置するノズル１２だけに、供給通路１８から高圧水Ｗが供給される。
【００１８】
つまり、図４においては、凹溝２４に連通している２個のノズル１２だけに高圧水Ｗが供給され、これ以外の４個のノズル１２には、高圧水Ｗが供給されない。
【００１９】
従って、各ノズルユニット１６からコンクリート表面１０に噴射される高圧水Ｗの鉛直断面内の噴射範囲は、凹溝２４の支持軸２０の中心に対する角度θによって決まり、この角度範囲内でのみ、コンクリート表面１０に高圧水Ｗが噴射される。
【００２０】
なお、本実施例で示した回転体１４の回転は、例えば、高圧水Ｗを噴射する際の反力で回転させることや、モータなどの動力を用いて回転させることもできる。
【００２１】
各ノズルユニット１６からコンクリート表面１０に噴射される高圧水Ｗの鉛直断面内の噴射範囲は、図１に示すように、ノズルユニット１６の中心から延長されるコンクリート表面１０に対する垂線に対して、前方に所定角度βだけ離間した位置Ｂが噴射開始位置となっていて、この位置から角度θの範囲（コンクリート表面１０上の長さがＬ）内に噴射される。
【００２２】
この角度θは、ノズルユニット１６をコンクリート表面１０の一方側から他方側に平行移動させる場合の、移動方向（図１に白矢印で示しいる）に対して、その前方側に位置している。
【００２３】
また、所定の間隔を隔てて一列状に配置されたノズルユニット１６の支持軸２０側においては、図３に示すように、各ノズルユニット１６から角度αで扇状に噴射される高圧水Ｗの水平断面内における噴射領域が、軸方向に隣接するもの同士で、外周側で相互に部分的にオーバラップするようになっている。
【００２４】
以上のように構成されたノズルユニット１６を用いてコンクリート表面１０を清掃する際には、高圧水Ｗを噴射する複数のノズル１２を一列状に設置し、軸方向に隣接するノズル１２から扇状に噴射される高圧水Ｗの噴射領域を相互にオーバラップさせ、かつ、コンクリート表面１０に対するノズル１２の高圧水Ｗの噴射範囲を、当該ノズル１２の平行移動方向に対して、その前方側の所定角度θの範囲内に設定するので、ノズル１２をコンクリート表面１０の一方側から他方側に向けて平行移動させると、レイタンスの滓や砂分が高圧水Ｗに押されて他方側に集められ、これにより列状に配置されたノズル１２の数と噴射角度αに対応する範囲のコンクリート表面１０の清掃が、１回の操作により終了する。
【００２５】
また、本実施例の場合には、ノズル１２は、支持軸２０に回転自在に支持された回転体１４に複数が等角度間隔で設置されたノズルユニット１６とされ、支持軸２０に複数のノズルユニット１６を軸方向に沿って配置しているので、ノズルユニット１６を増減することにより、清掃対象コンクリート表面１０の大きさに容易に対応することができる。
【００２７】
【発明の効果】
以上、詳細に説明したように、本発明にかかるコンクリート表面の清掃方法によれば、レイタンスの滓や砂分の取残しがなく、清掃作業を効率的に行える。
【図面の簡単な説明】
【図１】本発明にかかるコンクリート表面の清掃方法の一実施例を示す清掃作業状態の側面図である。
【図２】図１の正面図である。
【図３】図１の平面図である。
【図４】図１に示したノズルユニットの拡大断面図である。
【符号の説明】
１０          コンクリート表面
１２          ノズル
１４          回転体
２０          支持軸
【図１】
0003788233.tif 000002
【図２】
0003788233.tif 000003
【図３】
0003788233.tif 000004
【図４】
0003788233.tif 000005